(57)【要約】      （修正有）【課題】低燃費・低有害ガス・快適性をより高い次元で成立することのできる内燃機関およびその制御装置を提供する。【解決手段】内燃機関１は、燃焼室１２に隣接して設けられた発熱室４１と、発熱室４１と燃焼室１２との間を連通状態および遮断状態のいずれともすることができる発熱室弁４２と、その発熱室弁を駆動するバルブ駆動システムと、燃焼室１２に導入された気体の熱を回収して、その回収した熱を暖機に利用する熱回収管４３を備える。制御装置は、内燃機関１を暖機する必要がない場合には、機関出力を生成する機関出力モードを選択・実行し、当該内燃機関１を暖機する必要がある場合には、生成された熱を回収する熱回収モードを選択・実行する。【選択図】図３
2011106320.tif 000002
【特許請求の範囲】
【請求項１】
シリンダと、
シリンダ内を往復動するピストンと、
そのピストンに連結されて、ピストンの往復動による運動エネルギーを外部に出力する動力出力部と、
前記シリンダおよびピストンによって構成され、燃料と空気との混合気が燃焼する燃焼室と、
その燃焼室に設けられ、前記混合気を燃焼させるための火花を発生させる燃焼室点火プラグと、
前記燃焼室へ空気を導入する吸気ポートと前記燃焼室との間に設けられた吸気弁と、
前記燃焼室で前記混合気が燃焼して生じる燃焼ガスを排出する排出ポートと前記燃焼室との間に設けられた排気弁とを備え、
前記排気弁は閉じており、前記ピストンの下降に伴い前記吸気弁が開いて燃焼室への吸気が行われ、前記ピストンが下死点となることに基づいて吸気弁が閉じる吸気行程と、
その吸気行程に続いて行われ、前記吸気弁および排気弁が閉じており、前記燃焼室内の気体が圧縮される圧縮行程と、
その圧縮行程に続いて行われ、前記吸気弁および排気弁が閉じており、前記燃焼室点火プラグが火花を発生させることにより、前記圧縮行程にて圧縮された燃焼室内の混合気を燃焼させる燃焼行程と、
その燃焼行程に続いて行われ、前記吸気弁は閉じており、前記ピストンの上昇に伴い排気弁が開き燃焼室内の燃焼ガスが排気される排気行程とが実行される内燃機関において、
前記燃焼室に隣接して設けられた発熱室と、
前記発熱室と前記燃焼室との間を連通状態および遮断状態のいずれともすることができる発熱室弁と、
その発熱室弁を駆動する発熱室弁駆動部と、
前記燃焼室に導入された気体の熱を回収して、その回収した熱を暖機に利用する熱回収部とを備えることを特徴とする内燃機関。
【請求項２】
請求項１記載の内燃機関において、
当該内燃機関は、複数のシリンダを有しており、
前記発熱室、前記発熱室弁、前記発熱室弁駆動部、および前記熱回収部は、前記複数のシリンダのうち少なくとも１つのシリンダに対応して設けられることを特徴とする内燃機関。
【請求項３】
請求項１又は２記載の内燃機関において、
前記発熱室、前記発熱室弁、前記発熱室弁駆動部、および前記熱回収部を複数のシリンダに対して備え、且つ、それら複数の発熱室が互いに連通管にて接続されていることを特徴とする内燃機関。
【請求項４】
請求項１〜３のいずれか一項に記載の内燃機関において、
前記発熱室および前記熱回収部は、前記吸気ポートに隣接して設けられていることを特徴とする内燃機関。
【請求項５】
請求項１〜３のいずれか一項に記載の内燃機関において、
前記発熱室および前記熱回収部は、前記排出ポートに隣接して設けられていることを特徴とする内燃機関。
【請求項６】
請求項１〜５のいずれか一項に記載の内燃機関において、
前記燃焼室点火プラグが前記燃焼室に配置されているだけでなく、前記発熱室に充填された混合気に点火する発熱室点火プラグが当該発熱室に配置されていることを特徴とする内燃機関。
【請求項７】
請求項１〜６のいずれか一項に記載の内燃機関を制御する制御装置であって、
前記内燃機関を暖機する必要がない場合には、機関出力を生成する機関出力モードを選択し、当該内燃機関を暖機する必要がある場合には、生成された熱を回収する熱回収モードを選択するモード選択部と、
前記モード選択部によって機関出力モードが選択された場合に前記内燃機関を制御する機関出力制御実行部と、
前記モード選択部によって熱回収モードが選択された場合に前記内燃機関を制御する熱回収制御実行部とを備え、
前記機関出力制御実行部は、前記発熱室弁駆動部により前記発熱室弁を常閉として、前記吸気行程、圧縮行程、燃焼行程、排気行程からなる１サイクルを繰り返し実行し、
前記熱回収制御実行部は、
前記吸気行程に続き、前記発熱室弁を開状態とし、燃焼室点火プラグに火花を発生させて燃焼室内の混合気を燃焼させる発熱モード時燃焼行程を行い、
前記吸気弁を閉じ、前記ピストンの上昇に伴い排気弁を開き燃焼室内の燃焼ガスを排気させる排気行程の開始までの排気弁が閉じている間、燃焼ガスを保持させる燃焼ガス保持行程においては、前記発熱室弁の開状態を維持し、
前記排気行程の終了に合わせて前記発熱室弁が閉じるように前記発熱室弁駆動部を制御することを特徴とする制御装置。
【請求項８】
請求項６に記載の内燃機関を制御する制御装置であって、
前記内燃機関を暖機する必要がない場合には、機関出力を生成する機関出力モードを選択し、当該内燃機関を暖機する必要がある場合には、生成された熱を回収する熱回収モードを選択するモード選択部と、
前記モード選択部によって機関出力モードが選択された場合に前記内燃機関を制御する機関出力制御実行部と、
前記モード選択部によって熱回収モードが選択された場合に前記内燃機関を制御する熱回収制御実行部とを備え、
前記機関出力制御実行部は、前記発熱室弁駆動部により前記発熱室弁を常閉として、前記吸気行程、圧縮行程、燃焼行程、排気行程からなる１サイクルを繰り返し実行し、
前記熱回収制御実行部は、
前記吸気行程に続き、前記発熱室弁を開状態とし、燃焼室内の混合気を発熱室に流入させる混合気流入行程を行い、続いて、前記発熱室点火プラグに火花を発生させて発熱室内の混合気を燃焼させる発熱室燃焼行程を行い、
前記吸気弁を閉じ、前記ピストンの上昇に伴い排気弁を開き燃焼室内の燃焼ガスを排気させる排気行程の開始までの排気弁が閉じている間、燃焼ガスを保持させる燃焼ガス保持行程においては、前記発熱室弁の開状態を維持し、
前記排気行程の終了に合わせて前記発熱室弁が閉じるように前記発熱室弁駆動部を制御することを特徴とする制御装置。
【発明の詳細な説明】
【技術分野】
【０００１】
本発明は、例えば冷間始動時に、早期暖機に有効な内燃機関およびその制御装置に関する。
【背景技術】
【０００２】
内燃機関は、燃料（主に液体）の化学反応エネルギ（熱エネルギ）を運動エネルギとして取り出すべく、およそ１００年前に発明された技術である。こうした内燃機関では、燃料としてガソリンや軽油等が使用され、燃料としてガソリンが使用される場合には、内燃機関のサイクルは公知のオットサイクルとなる。そして、この１００年間、オットサイクル中の圧縮行程から燃焼行程に至るＰＶ線図上の正の仕事部分（後述する図８における斜線部）を広げる技術が多数発明されている（例えば特許文献１参照）。
【先行技術文献】
【特許文献】
【０００３】
【特許文献１】特開平８−２９６４４７号公報
【発明の概要】
【発明が解決しようとする課題】
【０００４】
ただし、上記正の仕事部分を広げる従来技術には、下記課題（１）〜（３）があった。
（１）冷間始動時において、内燃機関本体・冷却水・潤滑オイルの温度が低いことから、内燃機関の摩擦力（例えばピストンとシリンダとの摺接部等）が大きく、燃料の燃焼が不安定となり、燃費が悪く、有害ガスの排出量が多い。
（２）内燃機関が自動車に搭載される場合、冷間始動時の暖房が遅い。
（３）例えばアイドルストップや、内燃機関に加えて駆動力源としてモータを用いるハイブリッド車両等の低燃費技術は機関暖気後に作動するため、低燃費技術の効果が機関暖機前に十分に発揮されない。
【０００５】
本発明は、上記実情に鑑みてなされたものであって、その目的は、低燃費・低有害ガス・快適性をより高い次元で成立することのできる内燃機関およびその制御装置を提供することにある。
【課題を解決するための手段】
【０００６】
こうした目的を達成するため、請求項１に記載の発明は、シリンダと、シリンダ内を往復動するピストンと、そのピストンに連結されて、ピストンの往復動による運動エネルギーを外部に出力する動力出力部と、シリンダおよびピストンによって構成され、燃料と空気との混合気が燃焼する燃焼室と、その燃焼室に設けられ、混合気を燃焼させるための火花を発生させる燃焼室点火プラグと、燃焼室へ空気を導入する吸気ポートと燃焼室との間に設けられた吸気弁と、燃焼室で混合気が燃焼して生じる燃焼ガスを排出する排出ポートと燃焼室との間に設けられた排気弁とを備え、排気弁は閉じており、ピストンの下降に伴い吸気弁が開いて燃焼室への吸気が行われ、ピストンが下死点となることに基づいて吸気弁が閉じる吸気行程と、その吸気行程に続いて行われ、吸気弁および排気弁が閉じており、燃焼室内の気体が圧縮される圧縮行程と、その圧縮行程に続いて行われ、吸気弁および排気弁が閉じており、燃焼室点火プラグが火花を発生させることにより、圧縮行程にて圧縮された燃焼室内の混合気を燃焼させる燃焼行程と、その燃焼行程に続いて行われ、吸気弁は閉じており、ピストンの上昇に伴い排気弁が開き燃焼室内の燃焼ガスが排気される排気行程とが実行される内燃機関において、燃焼室に隣接して設けられた発熱室と、発熱室と燃焼室との間を連通状態および遮断状態のいずれともすることができる発熱室弁と、その発熱室弁を駆動する発熱室弁駆動部と、燃焼室に導入された気体の熱を回収して、その回収した熱を暖機に利用する熱回収部とを備えることを特徴とする。
【０００７】
上記請求項１に記載の内燃機関は、発熱室と、発熱室弁とを有しているので、発熱室と燃焼室との間を連通状態にした場合には、通常のオットーサイクルの圧縮が極めて低い状態として、混合気あるいは混合気を燃焼させた後の燃焼ガスを発熱室に導入して熱回収部にて熱を回収することが可能となる。そして、圧縮が極めて低い状態で熱を回収することから、燃焼によって発生する熱エネルギーをほとんど動力に変換しないことになるので、熱を取り出す効率が向上する。その結果、暖機時間を短縮することができる。
【０００８】
なお、内燃機関が複数のシリンダを有する場合には、発熱室、発熱室弁、発熱室弁駆動部、および熱回収部は、その全てのシリンダに対応して設けられる必要はなく、その一部のシリンダに対応して設けられればよい。すなわち、上記請求項１記載の構成において、請求項２に記載の発明のように、当該内燃機関は、複数のシリンダを有しており、発熱室、発熱室弁、発熱室弁駆動部、および熱回収部は、複数のシリンダのうち少なくとも１つのシリンダに対応して設けられるとよい。これにより、これにより、発熱室、発熱室弁、発熱室弁駆動部、および熱回収部が全てのシリンダに対応して設けられる内燃機関と比較して簡素な構成としながらも、上記請求項１記載の効果を得ることができるようになる。
【０００９】
上記請求項１又は２に記載の内燃機関において、請求項３に記載の発明では、発熱室、発熱室弁、発熱室弁駆動部、および熱回収部を複数のシリンダに対して備え、且つ、それら複数の発熱室が互いに連通管にて接続されていることを特徴とする。これにより、混合気は連通管を通って発熱室間を移動することができるため、発熱室に残留する混合気の排出を促すことができるようになる。
【００１０】
請求項１〜３のいずれか一項に記載の内燃機関において、請求項４に記載の発明のように、発熱室および熱回収部は、吸入空気を外部から吸入するための吸気ポートに隣接して設けられていることとしてもよく、請求項５に記載の発明のように、発熱室および熱回収部は、排出ポートに隣接して設けられていることとしてもよい。
【００１１】
上記請求項１〜５のいずれかに記載の内燃機関において、請求項６に記載の発明は、燃焼室点火プラグが燃焼室に配置されているだけでなく、発熱室に充填された混合気に点火する発熱室点火プラグが当該発熱室に配置されていることを特徴とする。これにより、燃焼室点火プラグおよび発熱室点火プラグを双方とも備えることから、燃焼室点火プラグのみを備える内燃機関よりも、混合気の燃焼が安定するようになる。
【００１２】
請求項７に記載の発明は、上記請求項１〜６のいずれか一項に記載の内燃機関を制御する制御装置であって、内燃機関を暖機する必要がない場合には、機関出力を生成する機関出力モードを選択し、当該内燃機関を暖機する必要がある場合には、生成された熱を回収する熱回収モードを選択するモード選択部と、モード選択部によって機関出力モードが選択された場合に内燃機関を制御する機関出力制御実行部と、モード選択部によって熱回収モードが選択された場合に内燃機関を制御する熱回収制御実行部とを備え、機関出力制御実行部は、発熱室弁駆動部により発熱室弁を常閉として、吸気行程、圧縮行程、燃焼行程、排気行程からなる１サイクルを繰り返し実行し、熱回収制御実行部は、吸気行程に続き、発熱室弁を開状態とし、燃焼室点火プラグに火花を発生させて燃焼室内の混合気を燃焼させる発熱モード時燃焼行程を行い、吸気弁を閉じ、ピストンの上昇に伴い排気弁を開き燃焼室内の燃焼ガスを排気させる排気行程の開始までの排気弁が閉じている間、燃焼ガスを保持させる燃焼ガス保持行程においては、発熱室弁の開状態を維持し、排気行程の終了に合わせて発熱室弁が閉じるように発熱室弁駆動部を制御することを特徴とする。
【００１３】
このように、請求項７では、熱回収制御実行部は、吸気行程に続き、発熱室弁を開状態とし、燃焼室内の混合気を燃焼させる発熱モード時燃焼行程を行う。この発熱モード時燃焼行程では、圧縮行程の場合と同様に、シリンダが上昇し燃焼室の容積が減少する。しかし、発熱モード時燃焼行程では燃焼室弁を開状態とする。燃焼室弁が開状態となることで、燃焼室と発熱室とが連通状態となることから、シリンダが上昇して燃焼室の容積が減少しても、燃焼室内の気体はそれほど圧縮されない。その結果、混合気が燃焼して生じる熱エネルギーが駆動エネルギーに変換されてしまう分が少なくなるので、混合気の燃焼により生じる熱エネルギーを熱回収部にて熱として効率よく回収することができる。
【００１４】
請求項８に記載の発明は、上記請求項６に記載の内燃機関を制御する制御装置であって、内燃機関を暖機する必要がない場合には、機関出力を生成する機関出力モードを選択し、当該内燃機関を暖機する必要がある場合には、生成された熱を回収する熱回収モードを選択するモード選択部と、モード選択部によって機関出力モードが選択された場合に内燃機関を制御する機関出力制御実行部と、モード選択部によって熱回収モードが選択された場合に内燃機関を制御する熱回収制御実行部とを備え、機関出力制御実行部は、発熱室弁駆動部により発熱室弁を常閉として、吸気行程、圧縮行程、燃焼行程、排気行程からなる１サイクルを繰り返し実行し、熱回収制御実行部は、吸気行程に続き、発熱室弁を開状態とし、燃焼室内の混合気を発熱室に流入させる混合気流入行程を行い、続いて、発熱室点火プラグに火花を発生させて発熱室内の混合気を燃焼させる発熱室燃焼行程を行い、吸気弁を閉じ、ピストンの上昇に伴い排気弁を開き燃焼室内の燃焼ガスを排気させる排気行程の開始までの排気弁が閉じている間、燃焼ガスを保持させる燃焼ガス保持行程においては、発熱室弁の開状態を維持し、排気行程の終了に合わせて発熱室弁が閉じるように発熱室弁駆動部を制御することを特徴とする。
【００１５】
このように、請求項８では、熱回収制御実行部は、吸気行程に続き、発熱室弁を開状態とし、燃焼室内の混合気を発熱室に移動させる混合気流入行程と、発熱室内の混合気を燃焼させる発熱室燃焼行程とを行う。この発熱室燃焼行程では、圧縮行程の場合と同様に、シリンダが上昇し燃焼室の容積が減少する。しかし、本発明では、混合気流入行程により混合気を燃焼室から発熱室に流入させて、混合気への点火は発熱室にて行う。そのため、シリンダが上昇して燃焼室の容積が減少しても、発熱室内の気体はそれほど圧縮されない。その結果、混合気が燃焼して生じる熱エネルギーが駆動エネルギーに変換されてしまう分が少なくなるので、混合気の燃焼により生じる熱エネルギーを熱回収部にて熱として効率よく回収することができる。
【図面の簡単な説明】
【００１６】
【図１】本発明に係る内燃機関の一実施の形態について、その全体構造を模式的に示す斜視図である。
【図２】本実施の形態の内燃機関について、その平面構造を模式的に示す平面図である。
【図３】本実施の形態の内燃機関について、その側面構造を模式的に示す側面図である。
【図４】本実施の形態の内燃機関を制御する制御装置について、その構成例を示すブロック図である。
【図５】機関出力モードが選択された場合において、燃焼室圧力および発熱室圧力等の推移を示す作動図である。
【図６】熱回収モードが選択された場合において、燃焼室圧力および発熱室圧力等の推移を示す作動図である。
【図７】本実施の形態について、熱回収モードが選択された場合におけるピストン、吸気弁、排気弁、発熱室弁等の状態の推移を示す作動図である。
【図８】本実施の形態について、機関出力モードが選択された場合のＰＶ線図である。
【図９】本実施の形態について、熱回収モードが選択された場合のＰＶ線図である。
【図１０】本実施の形態において、（ａ）は機関出力モードが選択された場合における各損失割合を示す模式図であり、（ｂ）は熱回収モードが選択された場合における各損失割合を示す模式図である。
【図１１】（ａ）は従来技術における機関始動後の機関本体温度等の推移を示す模式図である。（ｂ）は本実施の形態における機関始動後の機関本体温度等の推移を示す模式図である。
【図１２】本実施の形態の変形例について、内燃機関の平面構造を模式的に示す平面図である。
【図１３】本実施の形態の他の変形例について、全体構造を模式的に示す斜視図である。
【図１４】本実施の形態のその他の変形例について、全体構造を模式的に示す斜視図である。
【図１５】本実施の形態のさらに他の変形例について、内燃機関の平面構造を模式的に示す平面図である。
【図１６】本実施の形態のさらにその他の変形例について、内燃機関の側面構造を模式的に示す側面図である。
【発明を実施するための形態】
【００１７】
以下、本実施の形態に係る内燃機関およびその制御装置の実施の形態について、図１〜図１１を参照しつつ説明する。
【００１８】
図１は内燃機関１の全体構造を模式的に示す斜視図である。図２は内燃機関１の平面構造を模式的に示す平面図であり、図３は内燃機関１の側面構造を模式的に示す側面図である。はじめに、これら図１〜図３を参照して、内燃機関１の構造について説明する。なお、内燃機関１は、本実施の形態では、図示しない車両に搭載される車載用の内燃機関として具体化されている。
【００１９】
図１〜図３に示されるように、複数のシリンダを有する内燃機関１は、いわゆるオットーサイクル（後述する機関出力モード）を実現する内燃機関として、従来の内燃機関と同様の構造を有している。ただし、内燃機関１を構成する各シリンダは、後述する発熱室４１、発熱室弁４２、バルブ駆動システム、および熱回収管４３を有しており、オットサイクルとは異なる新サイクル（後述する熱回収モード）も実現可能な機関として構成されている。
【００２０】
以下、詳しく説明する。内燃機関１は、機関ヘッド１０および機関ブロック２０を有して構成されている（図３）。
【００２１】
機関ヘッド１０の各シリンダには、燃焼室１２へ空気を導入する吸気ポート１１と、外部から吸入された空気の通路である吸気ポート１１と、この吸気ポート１１によって導入される空気と燃料との混合気が燃焼される燃焼室１２（の一部）と、混合気が燃焼した燃焼ガスが排出される排出ポート１３とが形成されている。なお、燃焼室１２は、機関ヘッド１０および機関ブロック２０の組み付け後に、機関ブロック２０に形成されたシリンダの側壁と、このシリンダ内を往復動可能に配設されたピストン３０の上面とによって区画形成される。
【００２２】
ここで、吸気ポート１１は、図示しない吸気通路に接続されている。この吸気通路には、吸気通路内の空気の温度を検出する吸気温センサや、吸気ポート１１に吸入される空気量を検出するエアーフローメータが配設されている。また、排出ポート１３は、図示しない排気通路に接続されている。この排気通路には、その内部を流れる排気の酸素含有量に基づいて、燃焼室１２での燃焼に供された混合気の空燃比を検出する空燃比センサが配設されているとともに、その下流側に排気を浄化する触媒装置が配設されている。
【００２３】
機関ヘッド１０の吸気ポート１１には、外部から吸入された空気に対し燃料を噴射供給する燃料噴射弁１４が配設されている。燃料噴射弁１４によって燃料が噴射供給されるタイミングや噴射供給される燃料量については、上記エアーフローメータの出力値、上記吸気温センサの出力値、上記空燃比センサの出力値、後述する水温センサの出力値、後述する運転モードに関する情報（機関出力モード及び熱回収モードのいずれのモードが選択されたかについての情報）に基づいて、後述する制御装置５０によって決定される。なお、本実施の形態では、燃料噴射弁１４を吸気ポート１１に配設して吸気ポート１１内の吸入空気に対して燃料を噴射供給したが、機関ブロック２０のシリンダの側壁等に配設して燃焼室１２内に燃料を直接供給してもよい。
【００２４】
機関ヘッド１０の燃焼室１２には、吸気ポート１１から導入された混合気を燃焼させるために火花を発生させる燃焼室点火プラグ１５が配設されている。この燃焼室点火プラグ１５によって混合気を火花点火するタイミングは制御装置５０によって決定される。
【００２５】
機関ヘッド１０の吸気ポート１１と燃焼室１２との間には、吸気弁１７が配設されている。吸気弁１７は、例えば直動式やロッカーアーム式等の公知のバルブ駆動システムによって駆動され、吸気ポート１１と燃焼室１２との間を連通状態および遮断状態のいずれともすることができる。
【００２６】
機関ヘッド１０の燃焼室１２と排出ポート１３の間には、排気弁１８が配設されている。排気弁１８も、吸気弁１７と同様に、例えば直動式やロッカーアーム式等の公知のバルブ駆動システムによって駆動され、燃焼室１２と排出ポート１３との間を連通状態および遮断状態のいずれともすることができる。
【００２７】
機関ブロック２０には、機関冷却用の冷却水の流路であるウォータジャケット２１が形成されており、このウォータジャケット２１には、その内部を流れる冷却水の温度を検出する図示しない水温センサが配設されている。
【００２８】
ピストン３０は、シリンダ内を往復動可能に構成されており、図示しないクランクシャフトに連結されている。このクランクシャフトによって、ピストン３０の往復動が回転運動に変換され、運動エネルギーが外部に出力される。したがって、クランクシャフトが特許請求の範囲に記載の動力出力部に相当する。
【００２９】
ピストン３０は、内燃機関１が機関出力モードにて運転される場合には、燃焼室１２の混合気の燃焼によってシリンダ内を往復動する一方、内燃機関１が熱回収モードにて運転される場合には、例えばスタータモータによってシリンダ内を往復動する。なお、本実施の形態では、ピストン３０は、内燃機関１が熱回収モードにて運転される場合には、スタータモータによってシリンダ内を往復動することとしたが、スタータモータに限らない。ピストン３０を駆動する専用のモータを設け、この専用のモータによってシリンダ内を往復動することとしてもよい。あるいは、内燃機関１に加えて動力源としてモータを用いるいわゆるハイブリッド車両に搭載される場合には、当該ハイブリッド車両の動力源として搭載されるモータであるハイブリッドモータによってシリンダ内を往復動することとしてもよい。またあるいは、複数のシリンダのうち燃焼室１２を設けたシリンダ及び燃焼室１２を設けていないシリンダが含まれる場合には、（燃焼室１２を設けたシリンダの）ピストン３０は、燃焼室１２を設けていないシリンダのクランクシャフトによって、（燃焼室１２を設けた）シリンダ内を往復動すること、すなわち自立運転することとしてもよい。
【００３０】
機関ヘッド１０には、上記燃焼室１２および上記吸気ポート１１に隣接して発熱室４１が形成されているとともに発熱室弁４２が配設されている。発熱室弁４２は、上記吸気弁１７および排気弁１８と同様に、例えば直動式やロッカーアーム式等の公知のバルブ駆動システムによって駆動され、燃焼室１２と発熱室４１との間を連通状態および遮断状態のいずれともすることができる。なお、上記発熱室４１の容積については、極めて低い圧縮の実現と内燃機関１へ搭載することを考慮して、シリンダ容積の「０．５倍」〜「２．０倍」に設定することが望ましい。また、バルブ駆動システムが特許請求の範囲に記載の発熱室弁駆動部に相当する。
【００３１】
上記発熱室４１には、熱回収水の流路である熱回収管４３が配設されており、この熱回収管４３は、流入側熱回収管４３ａ、熱交換部４３ｂ、流出側熱回収管４３ｃから構成されている。このうち、流入側熱回収管４３ａおよび流出側熱回収管４３ｃは上記ウォータジャケット２１に接続されており、熱交換部４３ｂは発熱室４１内に配置されて螺旋状に形成されている。例えば内燃機関１の冷間始動時等、内燃機関１を暖機する必要がある場合には、低温の熱回収水は、ウォータジャケット２１から流入側熱回収管４３ａ内を移動して熱交換部４３ｂに流入し、この熱交換部４３ｂにおいて発熱室４１に導入された燃焼ガス（気体）との間で熱交換を行って（熱を回収して）高温となり、流出側熱回収管４３ｃ内を移動してウォータジャケット２１に流出する。そして、内燃機関１は、ウォータジャケット２１内の高温となった冷却水によって暖機される。このようにして、熱回収水は内燃機関１の暖機に利用される。なお、本実施の形態では、熱交換部４３ｂは螺旋状に形成されていたがこれに限らず、発熱室４１内で排気との間で熱交換が可能であれば、その形状は任意である。また、熱回収管４３として公知の熱交換器を採用することができる。
【００３２】
図４に、上述の構造を有する内燃機関１を制御する制御装置５０の構成例を示す。この制御装置５０は、マイクロコンピュータを主体として構成され、内蔵されたＲＯＭに記憶された各種の制御プログラムを実行する。以下では、制御装置５０は、モード選択部５１、機関出力制御実行部５２、および熱回収制御実行部５３を備えるものとして説明する。
【００３３】
制御装置５０は、エンジンスイッチ６０、暖房操作スイッチ６１、および各種センサに接続されている。このうち、エンジンスイッチ６０は、内燃機関１に対して始動を指示するための公知のスイッチであり、車室内の適宜の箇所に設けられたプッシュスイッチである。暖房操作スイッチ６１は、内燃機関１に対して暖房を要求するための公知のスイッチであり、例えばインスツールメントパネル等に設けられたプッシュスイッチである。各種センサとは、上記吸気温センサ、空燃比センサ、水温センサ等々である。
【００３４】
制御装置５０は、燃料噴射弁１４に接続されており、この燃料噴射弁１４を制御することにより吸入空気に対して供給される燃料の噴射供給量を制御する。また、制御装置５０は、燃焼室点火プラグ１５に接続されており、この燃焼室点火プラグ１５を制御することにより、燃焼室１２内の混合気の点火時期を制御する。また、制御装置５０は、上記バルブ駆動システムに接続されており、このバルブ駆動システムを制御することにより、吸気弁１７、排気弁１８，１９、および発熱室弁４２のバルブ量を制御する。また、制御装置５０は、スタータモータに接続されており、このスターターモータを制御することにより、ピストン３０をシリンダ内を往復動させる。
【００３５】
モード選択部５１は、内燃機関１の運転状態に基づいて内燃機関１を暖機する必要があるか否かを判断する。具体的には、モード選択部５１は、上記エンジンスイッチ６０がオン操作されると、水温センサのセンサ出力値が所定の閾値以下であるか否か、すなわち、内燃機関１の冷却水温が所定温度（例えば「６０度」）以下であるか否かを判断する。ここで、エンジンスイッチ６０のオン操作時に内燃機関１の冷却水温が所定温度以下である場合とは、内燃機関１の前回の運転停止から時間がかなり経過して冷却水温が低温である状態でエンジンスイッチ６０がオン操作されたこと、すなわち内燃機関１の冷間始動であることを意味する。エンジンスイッチ６０のオン操作時に内燃機関１の冷却水温が所定温度よりも高い場合とは、内燃機関１の前回の運転停止からそれほど時間が経過しておらず冷却水温は低温ではない状態でエンジンスイッチ６０がオン操作されたこと、すなわち暖機運転であることを意味する。そのため、水温センサのセンサ出力値が所定の閾値以下であると判断した場合、モード選択部５１は、内燃機関１を暖機する必要があると判断し、生成された熱を回収する熱回収モードを選択する。一方、水温センサのセンサ出力値が所定の閾値を上回ると判断した場合、モード選択部５１は、内燃機関１を暖機する必要がないと判断し、機関出力を生成する機関出力モードを選択する。
【００３６】
なお、本実施の形態では、上記エンジンスイッチ６０がオン操作されると、水温センサのセンサ出力値が所定の閾値以下であるか否かを判断していたが、エンジンスイッチ６０がオン操作されることに加えて、あるいは、エンジンスイッチ６０がオン操作されることに替えて、上記暖房操作スイッチ６１が操作されると、水温センサのセンサ出力値が所定の閾値以下であるか否かを判断してもよい。ここで、暖房操作スイッチ６１の操作時に内燃機関１の冷却水温が所定温度以下である場合とは、内燃機関１がまだ暖機されていない状態で暖房を行うことが要求されたことを意味する。暖房操作スイッチ６１の操作時に内燃機関１の冷却水温が所定温度よりも高い場合とは、内燃機関１が既に暖機された状態で暖房を行うことが要求されたことを意味する。そのため、水温センサのセンサ出力値が所定の閾値以下であると判断した場合、モード選択部５１は、暖房するにあたってまずは内燃機関１を暖機する必要があると判断し、生成された熱を回収する熱回収モードを選択する。一方、水温センサのセンサ出力値が所定の閾値を上回ると判断した場合、モード選択部５１は、暖房するにあたって内燃機関１を暖機する必要はないと判断し、機関出力を生成する機関出力モードを選択する。
【００３７】
また、本実施の形態では、水温センサのセンサ出力値に基づいて内燃機関１を暖機する必要があるか否かを判断していたが、水温センサのセンサ出力値に限らない。他に例えば、吸気温センサのセンサ出力値に基づいて内燃機関１を暖機する必要があるか否かを判断してもよい。あるいは、内燃機関１の運転停止時にも計時可能な計時手段を備え、内燃機関１の前回の運転停止時を起点とした経過時間に基づいて内燃機関１を暖機する必要があるか否かを判断してもよい。
【００３８】
機関出力制御実行部５２は、上記モード選択部５１によって機関出力モードが選択された場合に、バルブ駆動システムを制御することにより発熱室弁４２を常閉として、「吸気行程→圧縮行程→燃焼行程→排気行程」からなる１サイクルを繰り返し実行する。
【００３９】
図５に、機関出力モードが選択された場合について、燃焼室１２内の圧力、発熱室４１内の圧力、吸気弁１７のリフト量、排気弁１８のリフト量、発熱室弁４２のリフト量の推移を示す。以下、この図５を用いて、機関出力モードにて実行されるサイクル（オットーサイクル）について説明する。
【００４０】
機関出力制御実行部５２は、上記バルブ駆動システムを制御することにより吸気弁１７および排気弁１８を閉じた状態とし、吸気行程を開始する。この吸気行程を開始すると、機関出力制御実行部５２は、ピストン３０が上死点から下死点へ下降することに伴って、上記バルブ駆動システムを制御することにより吸気弁１７を開く。吸気弁１７を開くと、ピストン３０の下降に伴って吸気ポート１１内の混合気が燃焼室へ吸気される。混合気が燃焼室１２へ吸気されると、機関出力制御実行部５２は、ピストン３０が下死点（クランク角「１８０度」）近傍となることに合わせて、上記バルブ駆動システムを制御することにより吸気弁１７を閉じてこの吸気行程を終了する。
【００４１】
上記吸気行程を終了すると、機関出力制御実行部５２は、この吸気行程に続けて圧縮行程を開始する。詳しくは、機関出力制御実行部５２は、上記バルブ駆動システムを制御することにより吸気弁１７および排気弁１８を閉じた状態のままとする。吸気弁１７および排気弁１８を閉じた状態のままピストン３０が下死点から上死点へ上昇することで、燃焼室１２内の混合気が圧縮され、燃焼室１２内の圧力が上昇する。機関出力制御実行部５２は、ピストン３０が上死点（クランク角「３６０度」）近傍まで上昇すると、この圧縮行程を終了する。
【００４２】
上記圧縮行程を終了すると、機関出力制御実行部５２は、この圧縮行程に続けて燃焼行程を開始する。詳しくは、機関出力制御実行部５２は、吸気弁１７および排気弁１８を閉じた状態のままとし、ピストン３０が上死点近傍となること（すなわち、燃焼行程が開始されること）に合わせて燃焼室点火プラグ１５に火花を発生させる。火花が発生することから、上記圧縮行程にて圧縮された燃焼室１２内の混合気が燃焼して燃焼ガスとなる。混合気が燃焼して燃焼ガスとなることで体積が増大することから、燃焼室１２内の圧力が急激に上昇し、その後、ピストン３０は上死点から下死点へ向けて下降する。機関出力制御実行部５２は、ピストン３０が下死点（クランク角「５４０度」）近傍まで下降すると、この燃焼行程を終了する。
【００４３】
上記燃焼行程を終了すると、機関出力制御実行部５２は、この燃焼行程に続けて排気行程を開始する。詳しくは、機関出力制御実行部５２は、吸気弁１７および排気弁１８を閉じた状態のままとし、ピストン３０が下死点近傍となること（すなわち、排気行程が開始されること）に合わせて、バルブ駆動システムを制御することにより排気弁１８を開く。排気弁１８を開くと、ピストン３０の上昇に伴って燃焼室１２内の燃焼ガスが排出ポート１３に排出される。燃焼ガスが排出ポート１３へ排気されると、機関出力制御実行部５２は、ピストン３０が上死点（クランク角「７２０度（＝０度）」）近傍となることに合わせて、上記バルブ駆動システムを制御することにより排気弁１８を閉じてこの排気行程を終了する。そして、この排気行程を終了すると、機関出力制御実行部５２は、上記モード選択部５１によって選択されているモードの吸気行程を実行する。
【００４４】
熱回収制御実行部５３は、上記モード選択部５１によって熱回収モードが選択された場合に、「吸気行程→発熱モード時燃焼行程→燃焼ガス保持行程→排気行程」からなる１サイクルを繰り返し実行する。
【００４５】
図６に、熱回収モードが選択された場合における、燃焼室１２圧力、発熱室４１圧力、吸気弁１７のリフト量、排気弁１８のリフト量、発熱室弁４２のリフト量の推移を示し、図７に、熱回収モードが選択された場合における、ピストン３０、吸気弁１７、排気弁１８、発熱室弁４２等の状態の推移を示す作動図である。以下、これら図６および図７を用いて、熱回収モードにて実行されるサイクルについて説明する。
【００４６】
これら図６および図７に示されるように、熱回収制御実行部５３は、上記バルブ駆動システムを制御することにより吸気弁１７、排気弁１８、および発熱室弁４２を閉じた状態とし、吸気行程を開始する。この吸気行程を開始すると、熱回収制御実行部５３は、ピストン３０が下降することに伴って、上記バルブ駆動システムを制御することにより吸気弁１７を開く。吸気弁１７を開くと、ピストン３０の下降に伴って吸気ポート１１内の混合気が燃焼室１２へ吸気される。混合気が燃焼室１２へ吸気されると、熱回収制御実行部５３は、ピストン３０が下死点（クランク角「１８０度」）近傍となることに合わせて、上記バルブ駆動システムを制御することにより吸気弁１７を閉じてこの吸気行程を終了する。
【００４７】
上記吸気行程を終了すると、熱回収制御実行部５３は、この吸気行程に続けて熱回収モード時燃焼行程を開始する。詳しくは、熱回収制御実行部５３は、上記バルブ駆動システムを制御することにより吸気弁１７、排気弁１８、および発熱室弁４２を閉じた状態のままとする。そして、熱回収制御実行部５３は、ピストン３０が下死点近傍となること（すなわち、熱回収モード時燃焼行程が開始されること）に合わせて、燃焼室点火プラグ１５に火花を発生させるとともに、上記バルブ駆動システムを制御することにより発熱室弁４２を開状態とする。火花が発生することから、上記吸気行程にて吸気された燃焼室１２内の混合気が燃焼し燃焼ガスとなり、発熱室弁４２が開状態となることから、燃焼ガスは発熱室４１へ導入される。そして、熱回収制御実行部５３は、上記バルブ駆動システムを制御することにより発熱室弁４２が完全に開状態となった時点でこの熱回収モード時燃焼行程を終了する。
【００４８】
上記熱回収モード時燃焼行程を終了すると、熱回収制御実行部５３は、この熱回収モード時燃焼行程に続けて燃焼ガス保持行程を開始する。詳しくは、熱回収制御実行部５３は、上記バルブ駆動システムを制御することにより吸気弁１７および排気弁１８を閉じた状態のままとするとともに、発熱室弁４２を開いた状態のままとする。そして、この状態のまま、ピストン３０が下死点から上死点（クランク角「３６０度）へ上昇することにより、燃焼ガスが発熱室４１に強制的に導入される。燃焼ガスが発熱室４１に強制的に導入された後、ピストン３０が上死点から下死点（クランク角「５４０度」）へ下降し、さらに下死点から上死点（クランク角度「７２０度（＝０度」）」へ上昇する適宜の時点（例えばクランク角度「６６０度」）でこの燃焼ガス保持行程を終了する。なお、この燃焼ガス保持行程において、発熱室４１に導入された燃焼ガスと熱交換部４３ｂを流れる熱回収水との間で熱交換が行われ、熱が回収される。
【００４９】
上記燃焼ガス保持行程を終了すると、熱回収制御実行部５３は、この燃焼ガス保持行程に続けて排気行程を開始する。詳しくは、熱回収制御実行部５３は、上記バルブ駆動システムを制御することにより吸気弁１７および排気弁１８を閉じた状態のままとするとともに、発熱室弁４２を開いた状態のままとする。そして、熱回収制御実行部５３は、ピストン３０が下死点近傍となること（すなわち、排気行程が開始されること）に合わせて、バルブ駆動システムを制御することにより排気弁１８を開く。排気弁１８を開くと、ピストン３０の上昇に伴って燃焼室１２および発熱室４１内の燃焼ガスが排出ポート１３に排出される。燃焼ガスが排出ポート１３へ排気されると、熱回収制御実行部５３は、ピストン３０が上死点（クランク角「７２０度（＝０度）」）近傍となることに合わせて、上記バルブ駆動システムを制御することにより排気弁１８および発熱室弁４２を閉じてこの排気行程を終了する。そして、この排気行程を終了すると、熱回収制御実行部５３は、上記モード選択部５１によって選択されているモードの吸気行程を実行する。
【００５０】
図８に、上記機関出力モードが選択された場合におけるＰＶ線図を示し、図９に、上記熱回収モードが選択された場合におけるＰＶ線図を示す。以下、これら図８および図９も併せ参照して説明する
内燃機関１は、機関出力モードが選択された場合、従来のオットーサイクルを実行することから、「正の仕事（図８に斜線にて示す部分）」を行うことができる。そして、内燃機関１は、この「正の仕事」を変換することにより機関出力を生成する。
【００５１】
一方、内燃機関１は、熱回収モードが選択された場合、従来のオットーサイクルとは異なる上記新サイクルを実行することから、「正の仕事（図９に零として示す部分）」を行うことがほとんどできない。そして、内燃機関１は、この「正の仕事」をほとんど行っていないため、機関出力を生成することはほとんどできない。詳しくは、熱回収制御実行部５３は、吸気行程に続き、発熱室弁４２を開状態とし、燃焼室１２内の混合気を燃焼させる発熱モード時燃焼行程を行う。この発熱モード時燃焼行程では、圧縮行程の場合と同様に、シリンダが上昇し燃焼室１２の容積が減少する。しかし、発熱モード時燃焼行程では燃焼室弁４２を開状態とする。燃焼室弁４２が開状態となることで、燃焼室１２と発熱室４１とが連通状態となることから、シリンダが上昇して燃焼室１２の容積が減少しても、燃焼室１２内の混合気はそれほど圧縮されない。その結果、混合気が燃焼して生じる熱エネルギーが駆動エネルギーに変換されてしまう分が少なくなるので、混合気の燃焼により生じる熱エネルギーを熱回収管４３にて熱として効率よく回収することができる。
【００５２】
以上説明した本実施の形態の内燃機関１によって得られる効果について、図１０および図１１を参照しつつ説明する。
【００５３】
図１０（ａ）は、機関出力モードが選択された場合における各損失割合を示ず模式図であり、図１０（ｂ）は、熱回収モードが選択された場合における各損失割合を示す模式図である。
【００５４】
これら図１０（ａ）及び（ｂ）に示されるように、内燃機関１に投入された燃料によって生成可能なエネルギーのうち、未燃損失、摩擦損失、および排気損失が占める割合は、機関出力モードが選択されている場合でも、熱回収モードが選択されている場合でも、ほぼ同程度となっている。一方、内燃機関１に投入された燃料によって生成可能なエネルギーのうち、機関出力モードが選択されている場合における冷却損失、ポンプ損失、および正味仕事が占める割合は、熱回収モードが選択されている場合における冷却損失が占める割合とほぼ同程度となっている。
【００５５】
これらのことから、機関出力モードが選択されている場合におけるポンプ損失分および正味仕事分が熱回収モードが選択されている場合における冷却損失分となったことが分かる。換言すれば、本実施の形態では、内燃機関１は、熱回収モードが選択された場合、機関出力を生み出すことは無く、供給された燃料は当該内燃機関１を暖機するために主に使用されることが分かる。
【００５６】
また、図１１（ａ）は、従来技術（機関出力モードのみ選択可能な場合に相当）における機関始動後の機関本体温度等の推移を示す模式図であり、図１１（ｂ）は、本実施の形態における機関始動後の機関本体温度等の推移を示す模式図である。
【００５７】
図１１（ａ）に示されるように、従来のオットーサイクル式の内燃機関が冷間始動された場合、その冷間始動時から暖機完了時までに必要な時間はおよそ「１０分」以上であった。これに対し、図１１（ｂ）に示されるように、本実施の形態の内燃機関１が冷間始動された場合、その冷間始動時から暖機完了時までに必要な時間はおよそ「１分」程度であった。
【００５８】
これらのことから、本実施の形態の内燃機関１は、従来のオットーサイクル式の内燃機関に比較して、早期に暖機することができることが分かる。したがって、従来のオットーサイクル式の内燃機関では、（１）内燃機関の摩擦力が大きく、燃料の燃焼が不安定となり、燃費が悪く、有害ガスの排出量が多い、（２）内燃機関が自動車に搭載される場合、冷間始動時の暖房が遅い、（３）低燃費技術の効果が機関段気前に充分に発揮されない、といった課題があったが、本実施の形態の内燃機関１では、早期に暖機することができることから、低燃費・低有害ガス・快適性をより高い次元で成立することができるようになる。
【００５９】
なお、本発明に係る内燃機関および制御装置は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００６０】
上記実施の形態では、図２に示されるように、内燃機関１を構成する発熱室４１および熱回収管４３は、吸気ポート１１に隣接して設けられていたがこれに限らない。図２に対応する図として図１２に示されるように、内燃機関１ａを構成する発熱室４１および熱回収管４３は、排出ポート１３に隣接して設けられていることとしてもよい。従来、排気ポート内に熱回収管を有する内燃機関が公知である。こうした排気ポート内に熱回収管を有する構成の場合、内燃機関が暖機を必要とする場合・必要としない場合に関係なく、排気ポートを流れる燃焼ガスから熱を回収して内燃機関を暖めるため、内燃機関を過剰に暖めてしまうことがある。これに対し、この内燃機関１ａは、暖機を必要としない場合には、発熱室弁４２を常閉とするため、内燃機関を過剰に暖めてしまう事態は生じなくなる。
【００６１】
上記実施の形態では、図１に示されるように、内燃機関１は複数のシリンダを備えており、発熱室４１、発熱室弁４２、および熱回収管４３は、これら複数のシリンダに対応して設けられていたが、これに限らない。図１に対応する図として図１３に示されるように、内燃機関１ｂは複数のシリンダを備えており、発熱室４１、発熱室弁４２、および熱回収管４３は、これら複数のシリンダのうち「１つ」のシリンダにのみ設けられていることとしてもよい。あるいは、発熱室４１、発熱室弁４２、および熱回収管４３は、複数のシリンダのうち「１つ」のシリンダに限らず、「一部」のシリンダに設けられていることとしてもよい。要は、発熱室４１、発熱室弁４２、および熱回収管４３は、複数のシリンダのうち少なくとも１つのシリンダに対応して設けられていればよい。
【００６２】
また、図１に対応する図として図１４に示すように、内燃機関１ｃは、発熱室４１、発熱室弁４２、および熱回収管４３を複数のシリンダに対して備え、且つ、それら複数の発熱室４１が互いに連通管１６にて接続されていることとしてもよい。これにより、混合気は連通管１６を通って発熱室４１間を移動することができるため、発熱室４１に残留する混合気の排出を促すことができるようになる。なお、発熱室４１、発熱室弁４２、および熱回収管４３を備えている複数のシリンダのうち「全て」のシリンダの発熱室４１が連通管にて接続されている必要はなく、発熱室４１、発熱室弁４２、および熱回収管４３を備えている複数のシリンダのうち少なくとも「２つ」のシリンダの発熱室４１が連通管にて接続されていればよい。
【００６３】
上記実施の形態では、制御装置５０は、熱回収モードが選択された場合、ピストン３０が下死点（クランク角が「１８０度」）近傍となることに合わせて、燃焼室点火プラグ１５に火花を発生させていたが、火花を発生させるタイミングはこれに限らない。制御装置５０は、熱回収モードが選択された場合、機関出力モードが選択された場合に燃焼室点火プラグ１５に火花を発生させるタイミングよりも早いタイミングにて、燃焼室点火プラグ１５に火花を発生させればよい。
【００６４】
また、図２および図３にそれぞれ対応する図として図１５および図１６に示すように、内燃機関１ｄは、燃焼室点火プラグ１５が燃焼室１２に配置されているだけでなく、発熱室４１に充填された混合気に点火する発熱室点火プラグ４５が当該発熱室４１に配置されていることとしてもよい。燃焼室点火プラグ１５および発熱室点火プラグ４５を双方とも備えることから、燃焼室点火プラグ１５のみを備える内燃機関１〜１ｃよりも、混合気の燃焼が安定するようになる。
【００６５】
こうした発熱室点火プラグ４５を備える内燃機関１ｄを、制御装置５０は次のように制御するとよい。すなわち、制御装置５０は、機関出力モードが選択された場合には、バルブ駆動システムを制御することにより発熱室弁４２を常閉として、「吸気行程→圧縮行程→燃焼行程→排気行程」からなる１サイクルを繰り返し実行する一方、熱回収モードが選択された場合には、「吸気行程→混合気流入行程→発熱室燃焼行程→燃焼ガス保持行程→排気行程」からなる１サイクルを繰り返し実行する。
【００６６】
詳しくは、制御装置５０は、吸気行程に続き、発熱室弁４２を開状態とし、燃焼室１２内の混合気を発熱室４１に流入させる混合気流入行程を行い、続いて、発熱室点火プラグ４５に火花を発生させて発熱室４１内の混合気を燃焼させる発熱室燃焼行程を行う。そして、制御装置５０は、吸気弁１７は閉じており、ピストン３０の上昇に伴い排気弁１８が開き燃焼室１２内の燃焼ガスが排気される排気行程の開始までの排気弁１８が閉じている間、燃焼ガスが保持される燃焼ガス保持行程において、発熱室弁４２の開状態を維持し、排気行程の終了に合わせて発熱室弁４２が閉じるように、バルブ駆動システムを制御する。ちなみに、機関出力モードが選択された場合については既述の通りである。
【００６７】
こうした変形例によれば、制御装置５０は、吸気行程に続き、発熱室弁４２を開状態とし、燃焼室１２内の混合気を発熱室４１に移動させる混合気流入行程と、発熱室４１内の混合気を燃焼させる発熱室燃焼行程とを行う。この発熱室燃焼行程では、圧縮行程の場合と同様に、ピストン３０が上昇し燃焼室１２の容積が減少する。しかし、この変形例では、混合気流入行程により混合気を燃焼室１２から発熱室４１に流入させて、混合気への点火は発熱室４１にて行う。そのため、ピストン３０が上昇して燃焼室１２の容積が減少しても、発熱室４１内の気体はそれほど圧縮されない。その結果、混合気が燃焼して生じる熱エネルギーが駆動エネルギーに変換されてしまう分が少なくなるので、混合気の燃焼により生じる熱エネルギーを熱回収部にて熱として効率よく回収することができるようになる。
【符号の説明】
【００６８】
１，１ａ，１ｂ，１ｄ…内燃機関、１０…機関ヘッド、１１…吸気ポート、１２…燃焼室、１３…排出ポート、１４…燃料噴射弁、１５…燃焼室点火プラグ、１６…連通管、１７…吸気弁、１８…排気弁、２０…機関ブロック、２１…ウォータジャケット、３０…ピストン、４１…発熱室、４２…発熱室弁、４３…熱回収管、４３ａ…流入側熱回収管、４３ｂ…流出側熱回収管、４３ｃ…熱交換部、４５…発熱室点火プラグ、５０…制御装置、５１…機関出力制御実行部、５２…熱回収制御実行部、６０…操作スイッチ、６１…暖房スイッチ
【図１】
2011106320.tif 000003
【図２】
2011106320.tif 000004
【図３】
2011106320.tif 000005
【図４】
2011106320.tif 000006
【図５】
2011106320.tif 000007
【図６】
2011106320.tif 000008
【図７】
2011106320.tif 000009
【図８】
2011106320.tif 000010
【図９】
2011106320.tif 000011
【図１０】
2011106320.tif 000012
【図１１】
2011106320.tif 000013
【図１２】
2011106320.tif 000014
【図１３】
2011106320.tif 000015
【図１４】
2011106320.tif 000016
【図１５】
2011106320.tif 000017
【図１６】
2011106320.tif 000018